(57)【要約】【課題】ベース画像に挿入画像を合成した合成画像が鑑賞者に与える違和感を抑制できる技術を提供する。【解決手段】挿入画像である人物画像の顔特徴パラメータが、顔特徴パラメータ導出部１０１により導出された顔特徴平均パラメータに一致するように画像補正部１０２により挿入画像に対して画像補正処理が行われ、画像挿入位置決定部１０４が、画像補正部１０２により画像補正処理された挿入画像のベース画像での挿入位置を決定する。したがって、ベース画像の挿入位置に挿入画像が合成された合成画像に含まれる、ベース画像の各人物画像についての顔特徴平均パラメータと、挿入画像である人物画像についての顔特徴パラメータとは一致したものとなるため、人物画像に注目して合成画像を鑑賞する鑑賞者に与える違和感を抑制できる。【選択図】図１
2010130040.tif 000002
【特許請求の範囲】
【請求項１】
複数の人物画像が含まれるベース画像に１人の人物画像から成る挿入画像を合成する画像処理装置において、
前記ベース画像に含まれる各人物画像の顔部分に共通する顔特徴パラメータをそれぞれ抽出するパラメータ抽出手段と、
前記パラメータ抽出手段により抽出された前記顔特徴パラメータの平均値に基づいた顔特徴平均パラメータを導出する平均パラメータ導出手段と、
前記挿入画像である人物画像の前記顔特徴パラメータが、前記顔特徴平均パラメータに一致するように前記挿入画像に対して画像補正処理を行う第１補正手段と、
前記第１補正手段により画像補正処理された前記挿入画像の前記ベース画像での挿入位置を決定する決定手段と
を備えることを特徴とする画像処理装置。
【請求項２】
前記ベース画像の前記挿入位置周辺における特定の人物画像について、前記顔特徴パラメータの平均値に基づいた特定顔特徴平均パラメータを選択的に導出する特定平均パラメータ導出手段と、
前記挿入画像である人物画像の前記顔特徴パラメータが、前記特定顔特徴平均パラメータに一致するように前記挿入画像に対して画像補正処理を行う第２補正手段と
をさらに備える請求項１に記載の画像処理装置。
【請求項３】
前記特定平均パラメータ導出手段は、
前記ベース画像の複数の人物画像のうち、前記挿入位置から予め定められた距離内に位置する前記ベース画像の人物画像について前記特定顔特徴平均パラメータを選択的に導出する請求項２に記載の画像処理装置。
【請求項４】
前記特定平均パラメータ導出手段は、
前記挿入位置を基準として該挿入位置に対して予め定められた方向に隣接する位置の前記ベース画像の人物画像についての前記特定顔特徴平均パラメータを導出する請求項２または３に記載の画像処理装置。
【請求項５】
前記予め定められた方向が、左右方向である請求項４に記載の画像処理装置。
【請求項６】
前記決定手段は、
前記ベース画像の各人物画像の顔部分どうしの顔間距離を導出する顔間距離導出手段と、
前記ベース画像の人物画像群の外郭を求め、前記人物画像群のうち周辺に位置する人物画像から前記顔間距離だけ離間した位置を前記挿入位置の候補位置として導出する候補位置導出手段と
を有する請求項１ないし５のいずれかに記載の画像処理装置。
【請求項７】
前記決定手段は、
ユーザの操作により前記ベース画像に指定される位置を前記挿入位置の候補位置として導出する入力手段を有する請求項１ないし５のいずれかに記載の画像処理装置。
【請求項８】
前記決定手段は、
複数ある前記候補位置の一側における前記候補位置について他側の前記候補位置よりも優先度を高く設定する優先度設定手段を有する請求項６または７に記載の画像処理装置。
【請求項９】
複数の人物画像が含まれるベース画像に１人の人物画像から成る挿入画像を合成する画像処理装置の制御用プログラムにおいて、
前記ベース画像に含まれる各人物画像の顔部分に共通する顔特徴パラメータをそれぞれ抽出するパラメータ抽出手段としての機能と、
前記パラメータ抽出手段により抽出された前記顔特徴パラメータの平均値に基づいた顔特徴平均パラメータを導出する平均パラメータ導出手段としての機能と、
前記挿入画像である人物画像の前記顔特徴パラメータが、前記顔特徴平均パラメータに一致するように前記挿入画像に対して画像補正処理を行う第１補正手段としての機能と、
前記第１補正手段により画像補正処理された前記挿入画像の前記ベース画像での挿入位置を決定する決定手段としての機能と
を実現することを特徴とする画像処理装置の制御プログラム。
【請求項１０】
複数の人物画像が含まれるベース画像に１人の人物画像から成る挿入画像を合成する画像処理装置の制御用プログラムを記録したコンピュータ読取り可能な記録媒体において、
前記ベース画像に含まれる各人物画像の顔部分に共通する顔特徴パラメータをそれぞれ抽出するパラメータ抽出手段としての機能と、
前記パラメータ抽出手段により抽出された前記顔特徴パラメータの平均値に基づいた顔特徴平均パラメータを導出する平均パラメータ導出手段としての機能と、
前記挿入画像である人物画像の前記顔特徴パラメータが、前記顔特徴平均パラメータに一致するように前記挿入画像に対して画像補正処理を行う第１補正手段としての機能と、
前記第１補正手段により画像補正処理された前記挿入画像の前記ベース画像での挿入位置を決定する決定手段としての機能と
を実現する画像処理装置の制御プログラムを記録したコンピュータ読取り可能な記録媒体。
【発明の詳細な説明】
【技術分野】
【０００１】
この発明は、複数の人物画像が含まれるベース画像に１人の人物画像から成る挿入画像を合成する技術に関するものである。
【背景技術】
【０００２】
従来、特許文献１に記載の画像処理装置のように、複数の人物画像が含まれるベース画像の背景の一部に、欠席者の人物画像から成る挿入画像を合成する際に、挿入画像の輪郭を滑らかにすることで、合成後のベース画像と挿入画像との境界領域のジャギ（ギザギザ）の発生を抑制する技術が知られている。
【０００３】
【特許文献１】特開２００５−３３５３２号公報（段落００４４〜００５１、図９など）
【発明の開示】
【発明が解決しようとする課題】
【０００４】
ところで、上記したベース画像と挿入画像とはそれぞれ異なる日に撮影されているため、撮影条件はそれぞれ異なるものとなっている。したがって、それぞれの画像の色やサイズなどの特徴パラメータには誤差が生じている。そこで、ベース画像に挿入画像を合成する際に、挿入画像の特徴パラメータが、挿入画像の挿入位置周辺のベース画像の背景画像の特徴パラメータと近似するように挿入画像に対して画像補正処理を行うのが一般的である。このようにすれば、挿入画像の特徴パラメータが、この挿入画像が挿入された位置周辺のベース画像の背景画像の特徴パラメータと近似したものとなるため、異なる日に撮影された挿入画像をベース画像に合成することにより生じる合成画像の違和感を抑制することができる。
【０００５】
ところが、複数の人物画像を含む写真画像を鑑賞するときは、鑑賞者は各人物画像に注目してこの写真画像を鑑賞し、背景画像にはあまり注目しないのが一般的である。したがって、ベース画像の背景画像の特徴パラメータと、挿入画像の特徴パラメータとが近似するように挿入画像の画像補正処理を行っても、合成画像に含まれている、ベース画像の人物画像の特徴パラメータと、挿入画像の人物画像の特徴パラメータとが異なれば、合成画像の鑑賞者に対して違和感を与えるおそれがあり技術の改善が求められていた。
【０００６】
この発明は、上記課題に鑑みなされたものであり、ベース画像に挿入画像を合成した合成画像が鑑賞者に与える違和感を抑制できる技術を提供することを目的とする。
【課題を解決するための手段】
【０００７】
この発明にかかる画像処理装置は、上記目的を達成するため、複数の人物画像が含まれるベース画像に１人の人物画像から成る挿入画像を合成する画像処理装置において、前記ベース画像に含まれる各人物画像の顔部分に共通する顔特徴パラメータをそれぞれ抽出するパラメータ抽出手段と、前記パラメータ抽出手段により抽出された前記顔特徴パラメータの平均値に基づいた顔特徴平均パラメータを導出する平均パラメータ導出手段と、前記挿入画像である人物画像の前記顔特徴パラメータが、前記顔特徴平均パラメータに一致するように前記挿入画像に対して画像補正処理を行う第１補正手段と、前記第１補正手段により画像補正処理された前記挿入画像の前記ベース画像での挿入位置を決定する決定手段とを備えることを特徴としている。
【０００８】
また、この発明にかかる画像処理装置の制御用プログラムは、複数の人物画像が含まれるベース画像に１人の人物画像から成る挿入画像を合成する画像処理装置の制御用プログラムにおいて、前記ベース画像に含まれる各人物画像の顔部分に共通する顔特徴パラメータをそれぞれ抽出するパラメータ抽出手段としての機能と、前記パラメータ抽出手段により抽出された前記顔特徴パラメータの平均値に基づいた顔特徴平均パラメータを導出する平均パラメータ導出手段としての機能と、前記挿入画像である人物画像の前記顔特徴パラメータが、前記顔特徴平均パラメータに一致するように前記挿入画像に対して画像補正処理を行う第１補正手段としての機能と、前記第１補正手段により画像補正処理された前記挿入画像の前記ベース画像での挿入位置を決定する決定手段としての機能とを実現することを特徴としている。
【０００９】
また、この発明にかかる画像処理装置の制御用プログラムを記録したコンピュータ読取り可能な記録媒体は、複数の人物画像が含まれるベース画像に１人の人物画像から成る挿入画像を合成する画像処理装置の制御用プログラムを記録したコンピュータ読取り可能な記録媒体において、前記ベース画像に含まれる各人物画像の顔部分に共通する顔特徴パラメータをそれぞれ抽出するパラメータ抽出手段としての機能と、前記パラメータ抽出手段により抽出された前記顔特徴パラメータの平均値に基づいた顔特徴平均パラメータを導出する平均パラメータ導出手段としての機能と、前記挿入画像である人物画像の前記顔特徴パラメータが、前記顔特徴平均パラメータに一致するように前記挿入画像に対して画像補正処理を行う第１補正手段としての機能と、前記第１補正手段により画像補正処理された前記挿入画像の前記ベース画像での挿入位置を決定する決定手段としての機能とを実現する画像処理装置の制御プログラムを記録している。
【００１０】
このように構成された発明では、挿入画像である人物画像の顔特徴パラメータが、平均パラメータ導出手段により導出された顔特徴平均パラメータに一致するように第１補正手段により挿入画像に対して画像補正処理が行われ、決定手段が、第１補正手段により画像補正処理された挿入画像のベース画像での挿入位置を決定する。したがって、ベース画像の挿入位置に挿入画像が合成された合成画像に含まれる、ベース画像の各人物画像についての顔特徴平均パラメータと、挿入画像である人物画像についての顔特徴パラメータとは一致したものとなるため、含まれている人物画像に注目して合成画像を鑑賞する鑑賞者に与える違和感を抑制できる。
【００１１】
なお、本発明の人物画像の顔部分に共通する顔特徴パラメータとは、顔部分全体の色やサイズに限られず、目、口など、人物画像の顔を構成する特定部位の色やサイズなどであってもよい。すなわち、ベース画像に含まれる人物画像の顔部分の特定部位についての顔特徴パラメータと、挿入画像である人物画像の顔部分の同一の特定部位についての顔特徴パラメータとを比較して、挿入画像の画像補正処理を行うようにすればよい。
【００１２】
また、前記ベース画像の前記挿入位置周辺における特定の人物画像について、前記顔特徴パラメータの平均値に基づいた特定顔特徴平均パラメータを選択的に導出する特定平均パラメータ導出手段と、前記挿入画像である人物画像の前記顔特徴パラメータが、前記特定顔特徴平均パラメータに一致するように前記挿入画像に対して画像補正処理を行う第２補正手段とをさらに備えてもよい。
【００１３】
このような構成とすれば、決定手段により決定されたベース画像の挿入位置へ合成された挿入画像である人物画像の顔特徴パラメータが、ベース画像の挿入位置周辺おける特定の人物画像について特定平均パラメータ導出手段により選択的に導出された特定顔特徴平均パラメータに一致するように、挿入画像に対して第２補正手段により画像補正処理が行われる。したがって、挿入画像の顔特徴パラメータが、この挿入画像が挿入された位置周辺のベース画像の特定の人物画像についての特定顔特徴平均パラメータと一致したものとなるため、合成画像を鑑賞する鑑賞者に与える違和感をよりいっそう抑制できる。
【００１４】
すなわち、鑑賞者（人間）は一般的に（人間の）顔に対する認識力が高いことが知られているが、挿入画像の挿入位置に近いベース画像の人物画像の顔特徴パラメータにより重く重み付けして挿入画像に対して画像補正処理を行うことで、合成された挿入画像と、挿入位置周辺のベース画像の人物画像との色やサイズなどのバランスが整えられるため、異なる日に撮影された挿入画像をベース画像に合成することにより生じる合成画像の違和感をよりいっそう抑制することができる。
【００１５】
このとき、前記特定平均パラメータ導出手段は、前記ベース画像の複数の人物画像のうち、前記挿入位置から予め定められた距離内に位置する前記ベース画像の人物画像について前記特定顔特徴平均パラメータを選択的に導出するようにするのがより望ましい。
【００１６】
このような構成とすれば、挿入位置から予め定められた距離内に位置するベース画像の人物画像について特定平均パラメータ導出手段により選択的に導出された特定顔特徴平均パラメータに一致するように、挿入画像に対して第２補正手段により画像補正処理が行われるため、合成画像を鑑賞する鑑賞者に与える違和感をますますいっそう抑制できる。
【００１７】
そして、ベース画像の挿入位置周辺における特定の人物画像として、前記特定平均パラメータ導出手段は、前記挿入位置を基準として該挿入位置に対して予め定められた方向に隣接する位置の前記ベース画像の人物画像についての前記特定顔特徴平均パラメータを導出するのがよく、さらに、前記予め定められた方向が、左右方向であるのが望ましい。
【００１８】
一般的に、複数の人物画像を含む写真画像を鑑賞する際は、鑑賞者は一の人物画像を鑑賞した後、この一の人物画像に隣接する人物画像を鑑賞するように視線を移動することが多い。したがって、このような構成とすれば、挿入画像の挿入位置を基準として該挿入位置に対して左右方向など、予め定められた方向に隣接する位置のベース画像の人物画像についての特定顔特徴平均パラメータに一致するように、第２補正手段は挿入画像に対して画像補正処理を行うため、挿入画像がベース画像に合成された合成画像を鑑賞する鑑賞者に与える違和感をよりいっそう抑制できる。
【００１９】
また、前記決定手段は、前記ベース画像の各人物画像の顔部分どうしの顔間距離を導出する顔間距離導出手段と、前記ベース画像の人物画像群の外郭を求め、前記人物画像群のうち周辺に位置する人物画像から前記顔間距離だけ離間した位置を前記挿入位置の候補位置として導出する候補位置導出手段とを有するようにしてもよい。
【００２０】
このような構成とすれば、ベース画像の人物画像群の外郭を求め、人物画像群のうち周辺に位置する人物画像から、顔間距離導出手段により導出されたベース画像の各人物画像の顔部分どうしの顔間距離だけ離間した位置が挿入位置の候補位置として導出手段により導出される。したがって、この候補位置を挿入画像のベース画像での挿入位置とすれば、ベース画像の人物画像群のうち周辺に位置する人物画像と挿入画像との距離と、ベース画像の各人物画像の顔部分どうしの顔間距離とがほぼ同じ距離となるため、ベース画像に含まれる人物画像群に対して非常にバランスの取れた位置に挿入画像を合成できる。
【００２１】
また、前記決定手段は、ユーザの操作により前記ベース画像に指定される位置を前記挿入位置の候補位置として導出する入力手段を有する構成としてもよい。
【００２２】
このような構成とすれば、ユーザの操作により、ベース画像の任意の位置を挿入画像の挿入位置の候補位置とすることができる。
【００２３】
また、前記決定手段は、複数ある前記候補位置の一側における前記候補位置について他側の前記候補位置よりも優先度を高く設定する優先度設定手段を有する構成としてもよい。
【００２４】
このような構成とすれば、挿入画像のベース画像での挿入位置の候補位置が複数ある場合に、優先度設定手段が複数の候補位置に対して優先度を設定するため、複数の候補位置から一の挿入位置を効率よく決定することができる。
【発明を実施するための最良の形態】
【００２５】
図１は本発明の画像処理装置の一実施形態であるコンピュータ１０を備える印刷システム１の構成を示す図である。また、図２は挿入画像ｉＩＭＧのベース画像ＩＭＧへの合成処理の一例を示す図あり、（ａ）は複数の人物画像ｐＩＭＧが含まれるベース画像ＩＭＧおよび１人の人物画像ｐＩＭＧから成る挿入画像ｉＩＭＧを示し、（ｂ）はベース画像ＩＭＧの挿入位置ＩＮＳに挿入画像ｉＩＭＧが合成された合成画像ｃＩＭＧを示す。
【００２６】
この印刷システム１は、コンピュータ１０と、ユーザに対する各種メニュー画像、ベース画像ＩＭＧ、挿入画像ｉＩＭＧまたは合成画像ｃＩＭＧなどが表示されるものであって、液晶モニタやＣＲＴモニタなどで構成される表示手段４０と、ユーザがコンピュータ１０に対する各種操作を行うためのキーボードやマウスなどの周知の入力デバイスにより構成される入力手段５０と、コンピュータ１０からの印刷指令に応じて印刷処理を行う印刷装置３０とを備えている。
【００２７】
コンピュータ１０では、ユーザの入力手段５０によるコンピュータ１０に対する入力操作に基づいて、図２（ａ）に示す外部記憶媒体２０などから入力されたベース画像ＩＭＧや挿入画像ｉＩＭＧなどの画像データに対して、挿入画像ｉＩＭＧを図２（ｂ）に示す挿入位置ＩＮＳ合成して合成画像ｃＩＭＧを生成する画像合成処理などが実行される。そして、コンピュータ１０により合成された合成画像ｃＩＭＧの画像データに基づいて生成された印刷データがインターフェース（Ｉ／Ｆ）６００を介して印刷装置３０に出力されることにより、印刷装置３０において用紙Ｐへの合成画像ｃＩＭＧの印刷が行われる。このように、コンピュータ１０はベース画像ＩＭＧに挿入画像ｉＩＭＧを合成する本発明の「画像処理装置」として機能している。
【００２８】
図１に示すように、コンピュータ１０は演算処理の中枢として機能するＣＰＵ１００と、表示手段４０に表示させるメニュー画面などを生成するとともに表示部４０の表示制御を行う画像表示制御部２００と、ＣＰＵ１００による処理により生成された各種データが一時的に格納されるＲＡＭ３００と、各種プログラムが格納されたＲＯＭ４００と、印刷ジョブデータなどの大容量データや各種プログラムが格納されるハードディスクドライブ（ＨＤＤ）５００とを備えている。また、ＲＯＭ４００およびＨＤＤ５００が本発明の「記録媒体」として構成されており、ＲＯＭ４００またはＨＤＤ５００に格納された各種プログラムがＣＰＵ１００において実行されることで後述する種々の機能を実現させることができる。
【００２９】
また、コンピュータ１０は、ＵＳＢインターフェース、有線ＬＡＮ、ＩＥＥＥ１３９４、無線ＬＡＮ、シリアル・パラレルインターフェースなどの各種インターフェース（Ｉ／Ｆ）６００を備え、Ｉ／Ｆ６００を介してＣＤ−ＲＯＭなどの光ディスクドライブ、ＵＳＢメモリなどの外部記憶媒体２０から各種データを入力可能に構成され、また、印刷装置３０に対する印刷データや外部記憶媒体２０対する各種データを出力可能に構成されている。なお、ＣＰＵ１００、画像表示制御部２００、ＲＡＭ３００、ＲＯＭ４００、ＨＤＤ５００およびＩ／Ｆ６００はバスラインＢＬを介して互いに信号を送受信可能に構成されている。また、コンピュータ１０はＩ／Ｆ６００を介して図示省略された他の外部機器と接続可能に構成されており、外部機器により生成された画像データなどの各種データや印刷ジョブなどを入出力可能に構成されている。
【００３０】
また、この実施形態における印刷装置３０は、シアン（Ｃ）、マゼンダ（Ｍ）、イエロー（Ｙ）、ブラック（Ｂ）などのインクカードリッジを備えるインクジェットプリンタにより構成されている。この印刷装置３０では、これらのインク色を組み合わせたカラー印刷が可能であり、コンピュータ１０から出力された印刷データに基づいて用紙Ｐ上にカラー画像を形成する。なお、本実施形態の印刷装置３０はシリアルプリンタであるカラーインクジェットプリンタにより構成したが、印刷装置３０の種類としてはこれに限られず、レーザープリンターなどのページプリンタ、ライン型インクジェットプリンタなどのラインプリンタでもよい。また、コンピュータ１０と印刷装置３０との接続Ｉ／Ｆ６００も上記したものに限られず、コンピュータ１０と印刷装置３０とを接続可能なものであればどのようなものであってもよい。
【００３１】
また、ＣＰＵ１００は、ＲＯＭ４００またはＨＤＤ５００に格納されたプログラムを実行することで各種機能を実現可能に構成されており、これらの機能について詳細に説明する。
【００３２】
顔特徴パラメータ導出部（本発明の「パラメータ抽出手段」、「平均パラメータ導出手段」、「特定平均パラメータ導出手段」に相当）１０１は、入力された集合写真画像などのベース画像ＩＭＧに含まれる各人物画像ｐＩＭＧおよび挿入画像ｉＩＭＧである人物画像ｐＩＭＧそれぞれの、顔部分に共通する色やサイズなどの顔特徴パラメータをそれぞれ抽出する。そして、ベース画像ＩＭＧから抽出した人物画像ｐＩＭＧの顔特徴パラメータの平均値に基づいた顔特徴平均パラメータを導出したり、ベース画像ＩＭＧの特定の人物画像ｐＩＭＧについて、顔特徴パラメータの平均値に基づいた特定顔特徴平均パラメータを選択的に導出したりする。なお、本実施形態では、顔特徴パラメータ導出部１０１は、ベース画像ＩＭＧに含まれる複数の人物画像ｐＩＭＧのうち、挿入画像ｉＩＭＧが挿入された挿入位置ＩＮＳ周辺における特定の人物画像ｐＩＭＧについて、顔特徴パラメータの平均値である特定顔特徴平均パラメータを選択的に導出するように構成されているが、特定顔特徴平均パラメータについては後で詳細に説明する。また、本実施形態では、特徴パラメータ導出部１０１は、ベース画像ＩＭＧから抽出した全ての人物画像ｐＩＭＧの顔特徴パラメータの平均値である顔特徴平均パラメータを導出するように構成されている。
【００３３】
画像補正部（本発明の「第１補正手段」、「第２補正手段」に相当）１０２は、入力された挿入画像ｉＩＭＧである人物画像ｐＩＭＧの顔特徴パラメータが、顔特徴パラメータ導出部１０１により導出されたベース画像ＩＭＧの各人物画像ｐＩＭＧの顔特徴平均パラメータに一致するように挿入画像ｉＩＭＧに対して画像補正処理を行う。また、画像補正部１０２は、入力された挿入画像ｉＩＭＧである人物画像ｐＩＭＧの顔特徴パラメータが、顔特徴パラメータ導出部１０１によりベース画像ＩＭＧに含まれる特定の人物画像ｐＩＭＧについて導出された特定顔特徴平均パラメータに一致するように挿入画像ｉＩＭＧに対して画像補正処理を行う。
【００３４】
人物画像間特徴パラメータ導出部（本発明の「顔間距離導出手段」、「候補位置導出手段」に相当）１０３は、入力されたベース画像ＩＭＧの各人物画像ｐＩＭＧの顔部分どうしの顔間距離Ｄを導出する（図１０参照）。また、人物画像間特徴パラメータ導出部１０３は、ベース画像ＩＭＧに含まれる各人物画像ｐＩＭＧの集合体である、人物画像群の外郭を求め、人物画像群のうち周辺に位置する人物画像ｐＩＭＧから、上記顔間距離Ｄだけ離間した位置を挿入画像ｉＩＭＧのベース画像ＩＭＧでの挿入位置ＩＮＳの候補位置ＣＡＮとして導出する（図１２参照）。また、ベース画像ＩＭＧが、複数の人物画像ｐＩＭＧから成る集合写真画像である場合に、人物画像間特徴パラメータ導出部１０３は、ベース画像ＩＭＧに含まれる各人物画像ｐＩＭＧの顔部分の座標情報に基づいて、ベース画像ＩＭＧに含まれる人物画像ｐＩＭＧが何列で構成されているかを導出する（図１１参照）。
【００３５】
画像挿入位置決定部１０４は、挿入画像ｉＩＭＧである人物画像ｐＩＭＧの顔特徴パラメータがベース画像ＩＭＧに含まれる全人物画像ｐＩＭＧについての顔特徴平均パラメータに一致するように、画像補正部１０２により画像補正処理された挿入画像ｉＩＭＧのベース画像ＩＭＧでの挿入位置ＩＮＳを決定する。すなわち、画像挿入位置決定部１０４は、ベース画像ＩＭＧに挿入画像ｉＩＭＧを合成する際に、挿入画像ｉＩＭＧをベース画像ＩＭＧに挿入する位置を決定する。また、本実施形態では、画像挿入位置決定部１０４は、ユーザが表示手段４０に表示されたベース画像ＩＭＧを参照しつつ、表示されたベース画像ＩＭＧの任意の位置を入力手段５０の操作により指定することで、ベース画像ＩＭＧに指定される位置を挿入画像ｉＩＭＧのベース画像ＩＭＧでの挿入位置ＩＮＳの候補位置ＣＡＮとして導出することができるように構成されている。
【００３６】
また、画像挿入位置決定部１０４は、上記したように導出された、挿入画像ｉＩＭＧをベース画像ＩＭＧに合成する際の、挿入画像ｉＩＭＧのベース画像ＩＭＧでの挿入位置ＩＮＳの複数の候補位置ＣＡＮについて、実際に挿入画像ｉＩＭＧをベース画像ＩＭＧに合成するときに複数の候補位置ＣＡＮから一の候補位置ＣＡＮを選択する際の優先度を設定する。本実施形態では、複数ある候補位置ＣＡＮの前列側（一側）における候補位置ＣＡＮについて、後列側（他側）の候補位置ＣＡＮよりも優先度を高く設定するように構成されている（図１２参照）。なお、優先度の設定順についてはこの例に限られず、例えばベース画像の左右方向において優先度が異なるように設定してもよい。以上のように、画像挿入位置決定部１０４が、本発明の「決定手段」、「入力手段」、「優先度設定手段」として機能している。
【００３７】
画像合成部１０５は、画像挿入位置決定部１０４により決定された挿入画像ｉＩＭＧのベース画像ＩＭＧでの挿入位置ＩＮＳに、挿入画像ｉＩＭＧを合成して合成画像ｃＩＭＧを生成する（図２（ｂ）参照）。次に、図３ないし図１３を参照して、挿入画像ｉＩＭＧをベース画像ＩＭＧに合成する処理の一例について説明する。
【００３８】
図３は第１画像補正処理を示すフローチャートである。図４は画像挿入位置決定処理を示すフローチャートである。図５は第２画像補正処理を示すフローチャートである。図６は人物画像ｐＩＭＧの顔部分の顔特徴パラメータの抽出処理を示す図であり、（ａ）はベース画像ＩＭＧを示し、（ｂ）は挿入画像ｉＩＭＧを示す。図７は挿入画像ｉＩＭＧに対する色補正処理を示す図であり、（ａ）は色補正処理前の挿入画像ｉＩＭＧを示し、（ｂ）は色補正処理後の挿入画像ｉＩＭＧを示す。図８は挿入画像ｉＩＭＧに対するサイズ補正処理を示す図であり、（ａ）はサイズ補正処理前の挿入画像ｉＩＭＧを示し、（ｂ）はサイズ補正後の挿入画像ｉＩＭＧを示す。図９は挿入画像ｉＩＭＧに対する回転処理を示す図であり、（ａ）は回転処理前の挿入画像ｉＩＭＧを示し、（ｂ）は回転処理後の挿入画像ｉＩＭＧを示す。図１０はベース画像ＩＭＧの各人物画像ｐＩＭＧの顔部分どうしの顔間距離Ｄの導出処理を示す図である。図１１はベース画像ＩＭＧに含まれる全人物画像ｐＩＭＧの人物画像群の列数の導出処理を示す図である。図１２は挿入画像ｉＩＭＧのベース画像ＩＭＧでの挿入位置ＩＮＳの候補位置ＣＡＮの一例を示す図である。図１３は第２画像補正処理を示す図であり、（ａ）は第２画像補正処理後の合成画像ｃＩＭＧを示し、（ｂ）は特定顔特徴平均パラメータの導出処理の一例を示す図である。
【００３９】
本実施形態では、Ｉ／Ｆ６００を介してコンピュータ１０にベース画像ＩＭＧおよび挿入画像ｉＩＭＧが入力され、ユーザにより入力手段５０を介してコンピュータ１０に対して画像合成処理を実行する指令が与えられると、コンピュータ１０において、ベース画像ＩＭＧに挿入画像ｉＩＭＧを合成する画像処理が実行される。コンピュータ１０に対して、ベース画像ＩＭＧに挿入画像ｉＩＭＧを合成する指令がユーザから与えられると、以下で説明するＣＰＵ１００が各種プログラムを実行することによる処理が実行される。なお、以下で説明する処理で実行される画像処理は、周知の種々の画像処理の手法を採用して実現することができる。また、各処理の説明において、挿入画像ｉＩＭＧは、周知の画像処理の手法を用いて、既に人物画像ｐＩＭＧの形状に切取られた状態であるものとして説明を行う。
【００４０】
＜第１画像補正処理＞
図３に示す第１画像補正処理では、ステップＳ１において、顔特徴パラメータ導出部１０１により、ベース画像ＩＭＧおよび挿入画像ｉＩＭＧに含まれる全ての人物画像ｐＩＭＧの顔が検出される（図６の人物画像ｐＩＭＧにおける四角枠参照）。そして、ステップＳ２において、顔特徴パラメータ導出部１０１により、ベース画像ＩＭＧに含まれる人物画像ｐＩＭＧの顔部分の顔色についての顔特徴平均パラメータが導出され、続いてステップＳ３において、導出した顔色についての顔特徴平均パラメータに一致するように、図７（ａ）に示す挿入画像ｉＩＭＧに対して画像補正部１０２による色補正処理が行われる（図７（ｂ）参照）。
【００４１】
次に、ステップＳ４において、顔特徴パラメータ導出部１０１により、ベース画像ＩＭＧに含まれる人物画像ｐＩＭＧの顔部分の顔サイズについての顔特徴平均パラメータが導出され、続いてステップＳ５において、図８（ａ）に示す色補正処理後の挿入画像ｉＩＭＧに対して画像補正部１０２によるサイズ補正処理が行われる（図８（ｂ）参照）。このとき、挿入画像ｉＩＭＧである人物画像ｐＩＭＧの顔サイズが、顔特徴パラメータ導出部１０１により導出された顔サイズについての顔特徴平均パラメータとほぼ同じサイズとなるように、挿入画像ｉＩＭＧに対して画像補正部１０２によるサイズ補正処理が行われる。
【００４２】
次に、顔特徴パラメータ導出部１０１により、ベース画像ＩＭＧに含まれる人物画像ｐＩＭＧの顔の向きと、挿入画像ｉＩＭＧである人物画像ｐＩＭＧの顔の向きとが導出される（ステップＳ６、Ｓ７）。そして、ステップＳ８において、ベース画像ＩＭＧに含まれる人物画像ｐＩＭＧの顔の向きと、挿入画像ｉＩＭＧである人物画像ｐＩＭＧの顔の向きとが同じかどうかが比較され、ＹＥＳと判定されれば、続いて、図４に示す画像挿入位置決定処理が実行される。一方、ステップＳ８においてＮＯと判定されれば、ステップＳ９において、画像補正部１０２により、挿入画像ｉＩＭＧの向きをベース画像ＩＭＧの向きと一致させる挿入画像ｉＩＭＧの回転処理が実行される。例えば、挿入画像ｉＩＭＧの人物画像ｐＩＭＧの顔の向きが、ベース画像ＩＭＧの人物画像ｐＩＭＧの顔の向きに対して約１８０°回転した状態であれば、画像補正部１０２により、図９（ａ）に示す状態の挿入画像ｉＩＭＧを、図９（ｂ）に示す状態へ回転する回転処理が実行される。ステップＳ９における回転処理が完了すれば、続いて、図４に示す画像挿入位置決定処理が実行される。
【００４３】
＜画像挿入位置決定処理＞
図４に示す画像挿入位置決定処理では、まずステップＳ１０において、ベース画像ＩＭＧの各人物画像ｐＩＭＧの顔部分どうしの顔間距離Ｄが人物画像間特徴パラメータ導出部１０３により導出される（図１０参照）。人物画像間特徴パラメータ導出部１０３では、ベース画像ＩＭＧの各人物画像ｐＩＭＧの顔部分の中心点を求め、求めた顔部分の中心点どうしの距離を取得し、取得した全ての中心点間距離の平均値を顔間距離Ｄとして導出する。そして、ステップＳ１１において、人物画像間特徴パラメータ導出部１０３は、ベース画像ＩＭＧに含まれる各人物画像ｐＩＭＧの顔部分の座標情報に基づいて、ベース画像ＩＭＧに含まれる人物画像ｐＩＭＧが何列で構成されているかを導出する（図１１参照）。図１１に示すように、本実施形態では、ベース画像ＩＭＧに含まれる人物画像ｐＩＭＧは３列で構成されている。
【００４４】
次に、ステップＳ１２において、人物間特徴パラメータ導出部１０３により、ベース画像ＩＭＧの３列で構成される人物画像群の各列の両端の人物画像ｐＩＭＧから顔間距離Ｄだけ離間した位置が、挿入位置ＩＮＳの候補位置ＣＡＮとして導出される（図１２参照）。そして、人物間特徴パラメータ導出部１０３により導出された６ヶ所の候補位置ＣＡＮについて挿入位置ＩＮＳとして選択するときの優先度が、画像挿入位置決定部１０４により、前列側候補位置ＣＡＮについて後列側の候補位置ＣＡＮよりも優先度が高く、左側の候補位置ＣＡＮについて右側の候補位置ＣＡＮよりも優先度が高く設定される。
【００４５】
続いて、画像挿入位置決定部１０４により、各候補位置ＣＡＮについて、各候補位置ＣＡＮに設定された優先度に従う順に、挿入画像ｉＩＭＧの挿入位置ＩＮＳとしての妥当性が判定される（ステップＳ１３〜Ｓ１６）。まず、ステップＳ１３において、優先度の一番高い最前列左側の候補位置ＣＡＮへ第１画像補正処理後の挿入画像ｉＩＭＧが仮挿入される。そして、ステップＳ１４において、挿入画像ｉＩＭＧが挿入されるベース画像ＩＭＧの領域に、図３のステップＳ２において導出した顔色についての顔特徴平均パラメータに近似する色が存在するかどうかについて判定される。すなわち、ステップＳ１３において挿入画像ｉＩＭＧが仮挿入されたベース画像ＩＭＧにおける候補位置ＣＡＮの領域に、顔色についての顔特徴平均パラメータに近似する色が存在すれば、図１２の点線で囲まれた部分に示すように、挿入される挿入画像ｉＩＭＧが、人物画像ｐＩＭＧの手や（素）足などと重なった状態で挿入される蓋然性が高くなる。
【００４６】
したがって、前記したように近似する色が存在すれば、この候補位置ＣＡＮに挿入画像ｉＩＭＧが挿入されれば、挿入された挿入画像ｉＩＭＧとベース画像ＩＭＧの人物画像ｐＩＭＧの一部とが重なると判定し、ステップＳ１４においてＹＥＳと判定される。ステップＳ１４においてＹＥＳと判定されれば、ステップＳ１５において、まだ挿入画像ｉＩＭＧの挿入の妥当性が判定されていない候補位置ＣＡＮが残っているかどうかが判定され、未判定の候補位置ＣＡＮがあれば（ステップＳ１５においてＮＯ）、ステップＳ１３に戻り、次の優先度の候補位置ＣＡＮへ第１画像補正処理後の挿入画像ｉＩＭＧが仮挿入される（図１２に示す例では最前列右側）。
【００４７】
そして、ステップＳ１４においてＮＯと判定されれば、ステップＳ１７に進み、当該候補位置ＣＡＮが挿入画像ｉＩＭＧの挿入位置ＩＮＳとして画像挿入位置決定部１０４により決定されて、決定された挿入位置ＩＮＳに挿入画像ｉＩＭＧが画像合成部１０５により合成される。一方、全ての候補位置ＣＡＮについてステップＳ１４においてＹＥＳと判定されたときは、ステップＳ１５においてＹＥＳと判定されてステップＳ１６に進む。そして、ステップＳ１６において、挿入される挿入画像ｉＩＭＧと、人物画像ｐＩＭＧとの重複が一番小さい候補位置ＣＡＮへ挿入画像ｉＩＭＧが仮挿入されて、当該候補位置ＣＡＮが挿入位置ＩＮＳとして決定されて（ステップＳ１７）、決定された挿入位置ＩＮＳに挿入画像ｉＩＭＧが画像合成部１０５により合成される。
【００４８】
＜第２画像補正処理＞
図４に示す画像挿入位置決定処理が終了すれば、次に図５に示す第２画像補正処理が実行される。まず、ステップＳ２０において、顔特徴パラメータ導出部１０１により、ベース画像ＩＭＧの人物画像ｐＩＭＧのうち、挿入位置ＩＮＳから予め定められた距離内に位置する人物画像ｐＩＭＧの顔が検出される。本実施形態では、顔間距離Ｄ×１．２（ｍ）の距離をステップＳ２０における予め定められた距離と設定する。そして、挿入画像ｉＩＭＧの人物画像ｐＩＭＧの顔部分の中心点から、顔間距離Ｄ×１．２（ｍ）内に顔部分の中心点があるベース画像ＩＭＧの人物画像ｐＩＭＧを、挿入位置ＩＮＳから予め定められた距離内に位置する人物画像ｐＩＭＧの顔と定義している（図１３（ｂ）参照）。なお、予め定められた距離は、上記した定義による値に限定されるものではなく、適宜変更してもよいことは言うまでもない。
【００４９】
次に、ステップＳ２１において、顔特徴パラメータ導出部１０１により、ベース画像ＩＭＧの複数の人物画像ｐＩＭＧのうち、ステップＳ２０で検出された挿入位置ＩＮＳから予め定められた距離内に位置する人物画像ｐＩＭＧを特定の人物画像ｐＩＭＧとして、顔色についての特定顔特徴平均パラメータが導出される。続いてステップＳ２２において、導出した顔色についての特定顔特徴平均パラメータに一致するように、図１３（ａ）に示す挿入画像ｉＩＭＧに対して画像補正部１０２による色補正処理が行われる。
【００５０】
そして、ステップＳ２３において、特定の人物画像ｐＩＭＧの顔サイズについての特定顔特徴平均パラメータが導出され、続いてステップＳ２４において、図１３（ａ）に示す挿入画像ｉＩＭＧに対して画像補正部１０２によるサイズ補正処理が行われて、ベース画像ＩＭＧに挿入画像ｉＩＭＧを合成する処理を終了する。なお、挿入画像ｉＩＭＧである人物画像ｐＩＭＧの顔サイズが、顔特徴パラメータ導出部１０１により導出された顔サイズについての特定顔特徴平均パラメータとほぼ同じサイズとなるように、挿入画像ｉＩＭＧに対して画像補正部１０２によるサイズ補正処理が行われる。次に、図１４および図１５を参照して、図４に示す画像挿入位置決定処理の変形例について説明する。
【００５１】
＜第１変形例＞
図１４は図４の画像挿入位置決定処理の第１変形例を示すフローチャートである。図１４における画像挿入位置決定処理が、図４に示す画像挿入位置決定処理と異なる点は、ステップＳ１１７において、表示手段４０に表示された、複数の候補位置ＣＡＮのいずれかに挿入画像ｉＩＭＧが仮挿入されたベース画像ＩＭＧを参照しつつ、ユーザが入力手段５０を操作することにより、最終的な挿入位置ＩＮＳを決定する点である。その他の構成および動作は図４に示す画像挿入処理と同様であるため、その構成および動作の説明は省略する。
【００５２】
＜第２変形例＞
図１５は図４の画像挿入位置決定処理の第２変形例を示すフローチャートである。図１５における画像挿入位置決定処理が、図４に示す画像挿入位置決定処理と異なる点は、表示手段４０に表示されたベース画像ＩＭＧを参照しつつ、ユーザが入力手段５０を操作することにより、挿入画像ｉＩＭＧの挿入位置ＩＮＳの候補位置ＣＡＮを設定する点である。図１５に示すように、ステップＳ２１０において、表示手段４０に表示されたベース画像ＩＭＧを参照したユーザによる入力手段５０の操作により、挿入画像ｉＩＭＧの挿入位置ＩＮＳの候補位置ＣＡＮがベース画像ＩＭＧの任意の位置に設定されて、候補位置ＣＡＮが導出される。次に、ステップＳ２１１において、画像挿入位置決定部１０４により、ステップ２１０において導出された候補位置ＣＡＮへ第１画像補正処理後の挿入画像ｉＩＭＧが仮挿入される。そして、ステップＳ２１２において、入力手段５０を操作するユーザにより、最終的な挿入位置ＩＮＳが決定されるまでステップＳ２１０〜Ｓ２１２の処理を繰返して実行し、ステップＳ２１２において、ユーザにより挿入位置ＩＮＳが決定されてＹＥＳと判定されれば処理を終了する。
【００５３】
以上のように、この実施形態では、挿入画像ｉＩＭＧである人物画像ｐＩＭＧの顔特徴パラメータが、顔特徴パラメータ導出部１０１により導出された顔特徴平均パラメータに一致するように画像補正部１０２により挿入画像ｉＩＭＧに対して画像補正処理が行われ、画像挿入位置決定部１０４が、画像補正部１０２により画像補正処理された挿入画像ｉＩＭＧのベース画像ＩＭＧでの挿入位置を決定する。したがって、ベース画像ＩＭＧの挿入位置ＩＮＳに挿入画像ｉＩＭＧが合成された合成画像に含まれる、ベース画像ＩＭＧの各人物画像ｐＩＭＧについての顔特徴平均パラメータと、挿入画像ｉＩＭＧである人物画像ｐＩＭＧについての顔特徴パラメータとは一致したものとなるため、人物画像ｐＩＭＧに注目して合成画像を鑑賞する鑑賞者に与える違和感を抑制できる。
【００５４】
また、画像挿入位置決定部１０４により決定されたベース画像ＩＭＧの挿入位置ＩＮＳへ合成された挿入画像ｉＩＭＧ（人物画像ｐＩＭＧ）の顔特徴パラメータが、ベース画像ＩＭＧの挿入位置ＩＮＳ周辺おける特定の人物画像ｐＩＭＧについて、顔特徴パラメータ導出部１０１により選択的に導出された特定顔特徴平均パラメータに一致するように、挿入画像ｉＩＭＧに対して画像補正部１０２により画像補正処理が行われる。したがって、挿入画像ｉＩＭＧの顔特徴パラメータが、この挿入画像ｉＩＭＧが挿入された挿入位置ＩＮＳ周辺のベース画像ＩＭＧの特定の人物画像ｐＩＭＧについての特定顔特徴平均パラメータと一致したものとなるため、合成画像を鑑賞する鑑賞者に与える違和感をよりいっそう抑制できる。
【００５５】
なお、本実施形態では、挿入位置ＩＮＳから予め定められた距離である顔間距離Ｄ×１．２（ｍ）内に位置するベース画像ＩＭＧの人物画像ｐＩＭＧについて、顔特徴パラメータ導出部１０１により選択的に導出された特定顔特徴平均パラメータに一致するように、挿入画像ｉＩＭＧに対して画像補正部１０２により画像補正処理が行われるように構成されており、合成画像を鑑賞する鑑賞者に与える違和感を効率よく抑制できる。
【００５６】
また、ベース画像ＩＭＧの人物画像群の外郭を求め、人物画像群のうち周辺に位置する人物画像ｐＩＭＧから、人物画像間特徴パラメータ導出部１０３により導出されたベース画像ＩＭＧの各人物画像ｐＩＭＧの顔部分どうしの顔間距離Ｄだけ離間した位置が挿入位置ＩＮＳの候補位置ＣＡＮとして人物画像間特徴パラメータ導出部１０３により導出される。したがって、この候補位置ＣＡＮを挿入画像ｉＩＭＧのベース画像ＩＭＧでの挿入位置ＩＮＳとすれば、ベース画像ＩＭＧの人物画像群のうち周辺に位置する人物画像ｐＩＭＧと挿入画像ｉＩＭＧとの距離と、ベース画像ＩＭＧの各人物画像ｐＩＭＧの顔部分どうしの顔間距離Ｄとがほぼ同じ距離となるため、ベース画像ＩＭＧに含まれる人物画像群に対して非常にバランスの取れた位置へ挿入画像ｉＩＭＧを合成できる。
【００５７】
また、ユーザは入力手段５０の操作することにより、ベース画像ＩＭＧに指定される位置を挿入位置ＩＮＳの候補位置ＣＡＮとして導出することができるように構成されているため、ユーザによる入力手段５０の操作により、ベース画像ＩＭＧの任意の位置を挿入画像ｉＩＭＧの挿入位置ＩＮＳの候補位置ＣＡＮとすることができる。
【００５８】
また、挿入画像ｉＩＭＧのベース画像ＩＭＧでの挿入位置ＩＮＳの候補位置ＣＡＮが複数ある場合に、画像挿入位置決定部１０４が複数の候補位置ＣＡＮに対して、挿入画像ｉＩＭＧが挿入される候補としての優先度を設定するため、実際に挿入画像ｉＩＭＧをベース画像ＩＭＧに合成する際に、設定された優先度に従うことで、効率よく複数の候補位置ＣＡＮから一の挿入位置ＩＮＳを決定することができる。
【００５９】
なお、本発明は上記した実施形態に限定されるものではなく、その趣旨を逸脱しない限りにおいて上述したもの以外に種々の変更を行うことが可能である。例えば、上記した実施形態では、本発明の画像処理装置を、コンピュータ１０において種々のプログラムを実行することにより構成したが、上記した機能を有する専用のマイクロプロセッサを有するハードウェアとして本発明の画像処理装置を構成して、ハードウェアとして構成された画像処理装置をコンピュータ１０に実装してもよいし、印刷装置３０に実装する構成としてもよい。また、本発明の画像処理装置を、ネットワークなどを介して、コンピュータ１０や印刷装置３０と接続される構成としてもよい。
【００６０】
また、ベース画像ＩＭＧの挿入位置ＩＮＳ周辺における特定の人物画像ｐＩＭＧとして、顔特徴パラメータ導出部１０１は、挿入位置ＩＮＳを基準として該挿入位置ＩＮＳに対して予め定められた方向に隣接する位置のベース画像ＩＭＧの人物画像ｐＩＭＧについての特定顔特徴平均パラメータを導出するようにしてもよく、予め定められた方向は、左右方向であるのが望ましい。
【００６１】
一般的に、複数の人物画像ｐＩＭＧを含む写真画像を鑑賞する際は、鑑賞者は一の人物画像ｐＩＭＧを鑑賞した後、この一の人物画像ｐＩＭＧに隣接する人物画像ｐＩＭＧを鑑賞するように視線を移動することが多い。したがって、このような構成とすれば、挿入画像ｉＩＭＧの挿入位置ＩＮＳを基準として該挿入位置ＩＮＳに対して左右方向など、予め定められた方向に隣接する位置のベース画像ＩＭＧの人物画像ｐＩＭＧについての特定顔特徴平均パラメータに一致するように、画像補正部１０２は挿入画像ｉＩＭＧに対して画像補正処理を行うため、挿入画像ｉＩＭＧがベース画像ＩＭＧに合成された合成画像を鑑賞する鑑賞者に与える違和感をよりいっそう抑制できる。また、ベース画像ＩＭＧの挿入位置ＩＮＳ周辺の全ての人物画像ｐＩＭＧの特定顔特徴平均パラメータを導出する場合に比べ、特定顔特徴平均パラメータを導出する際に用いられる人物画像ｐＩＭＧの数が少ない可能性が高く、その結果、特定顔特徴平均パラメータの導出処理の処理時間の短縮を図ることができる。
【図面の簡単な説明】
【００６２】
【図１】本発明の画像処理装置を備える印刷システムの構成を示す図。
【図２】挿入画像のベース画像への合成処理の一例を示す図。
【図３】第１画像補正処理を示すフローチャート。
【図４】画像挿入位置決定処理を示すフローチャート。
【図５】第２画像補正処理を示すフローチャート。
【図６】人物画像の顔部分の顔特徴パラメータの抽出処理を示す図。
【図７】挿入画像に対する色補正処理を示す図。
【図８】挿入画像に対するサイズ補正処理を示す図。
【図９】挿入画像に対する回転処理を示す図。
【図１０】ベース画像の各人物画像の顔部分どうしの顔間距離の導出処理を示す図。
【図１１】ベース画像の人物画像群の列数の導出処理を示す図。
【図１２】挿入画像のベース画像での挿入位置の候補位置の一例を示す図。
【図１３】第２画像補正処理を示す図。
【図１４】図４の画像挿入位置決定処理の第１変形例を示すフローチャート。
【図１５】図４の画像挿入位置決定処理の第２変形例を示すフローチャート。
【符号の説明】
【００６３】
１０…コンピュータ（画像処理装置）、５０…入力手段、１０１…顔特徴パラメータ導出部（パラメータ抽出手段、平均パラメータ導出手段、特定平均パラメータ導出手段）、１０２…画像補正部（第１補正手段、第２補正手段）、１０３…人物画像間特徴パラメータ導出部（顔間距離導出手段、候補位置導出手段）、１０４…画像挿入位置決定部（決定手段、入力手段、優先度設定手段）、４００…ＲＯＭ（記録媒体）、５００…ＨＤＤ（記録媒体）、ＩＭＧ…ベース画像、ｃＩＭＧ…合成画像、ｉＩＭＧ…挿入画像、ｐＩＭＧ…人物画像、ＣＡＮ…候補位置、ＩＮＳ…挿入位置
【図１】
2010130040.tif 000003
【図２】
2010130040.tif 000004
【図３】
2010130040.tif 000005
【図４】
2010130040.tif 000006
【図５】
2010130040.tif 000007
【図６】
2010130040.tif 000008
【図７】
2010130040.tif 000009
【図８】
2010130040.tif 000010
【図９】
2010130040.tif 000011
【図１０】
2010130040.tif 000012
【図１１】
2010130040.tif 000013
【図１２】
2010130040.tif 000014
【図１３】
2010130040.tif 000015
【図１４】
2010130040.tif 000016
【図１５】
2010130040.tif 000017